(57)【要約】【課題】振動板の大振幅での振動を可能としつつ不要振動の発生を抑えるダンパ構造を提供する。【解決手段】フレーム(6)と、それに中心軸線(CL)方向に振動可能に支持された細長形状の振動板(5)に結合された質量付加部材(8)と、を中心軸線を挟む第１ダンパ部(9b)及び第２ダンパ部(9c)で連結した。各ダンパ部はコルゲーション(9d,9e)を有し質量付加部材に固定された固定部(9a)と一体化されている。第１ダンパ部の一対の側縁(SE1,SE3)と質量付加部材とが接続する二つの第１の接続部位(Rp1,Rp3)と、第２ダンパ部の一対の側縁(SE2,SE4)と質量付加部材とが接続する二つの第２の接続部位(Rp2,Rp4)と、が異なる位置に存在する。互いに対応する第１の接続部位と第２の接続部位とを繋ぐ一対の仮想線分(LN9a,LN9b)に対し質量付加部材の外形が仮想線分と一致するか又は外形の一部が仮想線分に対して中心軸線から遠い側の領域にある。【選択図】図３
2013030872.tif 000002
【特許請求の範囲】
【請求項１】
外周部がエッジを介してフレームに接続され前記フレームに対して中心軸線方向に振動可能に支持された細長形状の振動板の中心部に一体的に結合された質量付加部材と、前記フレーム又は前記フレームと一体化された部材と、を、前記中心軸線を挟むように前記第１のダンパ部と前記第２のダンパ部とで連結してなるダンパ構造であって、
前記第１及び第２のダンパ部はコルゲーションを有すると共に前記質量付加部材に固定された固定部に接続して一体化されており、
前記第１のダンパ部の一対の側縁又はその一対の側縁それぞれの仮想延長線と前記質量付加部材とが接続する二つの第１接続部位と、前記第２のダンパ部の一対の側縁又はそれらの仮想延長線と前記質量付加部材とが接続する二つの第２の接続部位と、がそれぞれ異なる位置に存在すると共に、互いに対応する前記第１の接続部位と前記第２の接続部位とを繋ぐ一対の仮想線分に対して、前記質量付加部材の外形が前記仮想線分と一致する位置にあるか又は前記外形の少なくとも一部が前記仮想線分に対して前記中心軸線から遠い側の領域にあることを特徴とするダンパ構造。
【請求項２】
中央部に質量付加部材が一体化された細長形状の振動板と、
前記振動板の外周部に接続されたエッジと、
前記エッジを介して前記振動板を中心軸線方向に振動可能に支持するフレームと、
前記質量付加部材と、前記フレーム又は前記フレームと一体化された部材と、を前記中心軸線を挟む位置で連結する第１のダンパ部及び第２のダンパ部と、
を備えたパッシブラジエータであって、
前記第１及び第２のダンパ部はコルゲーションを有すると共に前記質量付加部材に固定された固定部に接続して一体化されており、
前記第１のダンパ部の一対の側縁又はその一対の側縁それぞれの仮想延長線と前記質量付加部材とが接続する二つの第１の接続部位と、前記第２のダンパ部の一対の側縁又はそれらの仮想延長線と前記質量付加部材とが接続する二つの第２の接続部位と、がそれぞれ異なる位置に存在すると共に、互いに対応する前記第１の接続部位と前記第２の接続部位とを繋ぐ一対の仮想線分に対して、前記質量付加部材の外形が前記仮想線分と一致する位置にあるか又は前記外形の少なくとも一部が前記仮想線分に対して前記中心軸線から遠い側の領域にあることを特徴とするパッシブラジエータ。
【請求項３】
ボイスコイルが巻回されたボイスコイルボビンが中央部に一体化された細長形状の振動板と、
前記振動板の外周部に接続されたエッジと、
前記エッジを介して前記振動板を中心軸線方向に振動可能に支持するフレームと、
前記ボイスコイルボビンと、前記フレーム又は前記フレームと一体化された部材と、を前記中心軸線を挟む位置で連結する第１のダンパ部及び第２のダンパ部と、
を備えたスピーカユニットであって、
前記第１及び第２のダンパ部はコルゲーションを有すると共に前記質量付加部材に固定された固定部に接続して一体化されており、
前記第１のダンパ部の一対の側縁又はその一対の側縁それぞれの仮想延長線と前記質量付加部材とが接続する二つの第１の接続部位と、前記第２のダンパ部の一対の側縁又はそれらの仮想延長線と前記質量付加部材とが接続する二つの第２の接続部位と、がそれぞれ異なる位置に存在すると共に、互いに対応する前記第１の接続部位と前記第２の接続部位とを繋ぐ一対の仮想線分に対して、前記質量付加部材の外形が前記仮想線分と一致する位置にあるか又は前記外形の少なくとも一部が前記仮想線分に対して前記中心軸線から遠い側の領域にあることを特徴とするスピーカユニット。
【請求項４】
外周部がエッジを介してフレームに接続され前記フレームに対して中心軸線方向に振動可能に支持された細長形状の振動板の中心部に一体的に結合された質量付加部材と、前記フレーム又は前記フレームと一体化された部材と、を前記中心軸線を挟むように第１のダンパと第２のダンパとで連結してなるダンパ構造であって、
前記第１及び第２のダンパにはコルゲーションが形成されており、
前記第１のダンパの一対の側縁と前記質量付加部材とが接続する二つの第１の接続部位と、前記第２のダンパの一対の側縁と前記質量付加部材とが接続する二つの第２の接続部位と、がそれぞれ異なる位置に存在すると共に、互いに対応する前記第１の接続部位と前記第２の接続部位とを繋ぐ一対の仮想線分に対して、前記質量付加部材の外形が前記仮想線分と一致する位置にあるか又は前記外形の少なくとも一部が前記仮想線分に対して前記中心軸線から遠い側の領域にあることを特徴とするダンパ構造。
【請求項５】
中央部に質量付加部材が一体化された細長形状の振動板と、
前記振動板の外周部に接続されたエッジと、
前記エッジを介して前記振動板を中心軸線方向に振動可能に支持するフレームと、
前記質量付加部材と、前記フレーム又は前記フレームと一体化された部材と、を前記中心軸線を挟む位置で連結する第１のダンパ及び第２のダンパと、
を備えたパッシブラジエータであって、
前記第１のダンパ及び第２のダンパにはコルゲーションが形成されており、
前記第１のダンパの一対の側縁と前記質量付加部材とが接続する二つの第１の接続部位と、前記第２のダンパの一対の側縁と前記質量付加部材とが接続する二つの第２の接続部位と、がそれぞれ異なる位置に存在すると共に、互いに対応する前記第１の接続部位と前記第２の接続部位とを繋ぐ一対の仮想線分に対して、前記質量付加部材の外形が前記仮想線分と一致する位置にあるか又は前記外形の少なくとも一部が前記仮想線分に対して前記中心軸線から遠い側の領域にあることを特徴とするパッシブラジエータ。
【請求項６】
ボイスコイルが巻回されたボイスコイルボビンが中央部に一体化された細長形状の振動板と、
前記振動板の外周部に接続されたエッジと、
前記エッジを介して前記振動板を中心軸線方向に振動可能に支持するフレームと、
前記ボイスコイルボビンと、前記フレーム又は前記フレームと一体化された部材と、を前記中心軸線を挟む位置で連結する第１のダンパ及び第２のダンパと、
を備えたスピーカユニットであって、
前記第１のダンパ及び第２のダンパにはコルゲーションが形成されており、
前記第１のダンパの一対の側縁と前記質量付加部材とが接続する二つの第１の接続部位と、前記第２のダンパの一対の側縁と前記質量付加部材とが接続する二つの第２の接続部位と、がそれぞれ異なる位置に存在すると共に、互いに対応する前記第１の接続部位と前記第２の接続部位とを繋ぐ一対の仮想線分に対して、前記質量付加部材の外形が前記仮想線分と一致する位置にあるか又は前記外形の少なくとも一部が前記仮想線分に対して前記中心軸線から遠い側の領域にあることを特徴とするスピーカユニット。
【請求項７】
細長形状のキャビネットと、前記キャビネットの前面バッフル板に取り付けられたスピーカユニットと、前記キャビネットの後面バッフル板に取り付けられた請求項２又は請求項５記載のパッシブラジエータと、を備え、前記パッシブラジエータは、前記細長形状の振動板の長手方向と、前記キャビネットの細長形状の長手方向とが一致するよう取り付けられていることを特徴とするスピーカシステム。
【発明の詳細な説明】
【技術分野】
【０００１】
本発明は、ダンパ構造，パッシブラジエータ，スピーカユニット，及びスピーカシステムに係り、特に、振動板が細長形状である場合に、その振動板に好適なダンパ構造，その振動板とダンパ構造とを備えたパッシブラジエータ及びスピーカユニット，そのパッシブラジエータ又はスピーカユニットを備えたスピーカシステムに関する。
【背景技術】
【０００２】
スピーカシステムの種々ある構造の内、高品位の重低音が得られるものとして、スピーカユニットとパッシブラジエータとを備えた構造がよく知られている（例えば、特許文献１参照）。
重低音が得られる構造としては、ダクトを用いたバスレフ方式もよく知られているが、ダクトではなくパッシブラジエータを用いた構造は、スピーカシステムのエンクロージャの容積の割に低い共振周波数を設定しても、バスレフ方式のダクトで生じ易い風切り音が発生しない、という利点がある。
【０００３】
従来、動電型のスピーカユニットには、フレームと振動板に結合されたボイスコイルボビンとの間を連結するダンパが設けられているのが一般的である（特許文献１参照）。
また、パッシブラジエータにも、振動板に結合された、ボイスコイルは巻回されていないボイスコイルボビン相当の筒状部とフレームとの間を連結するダンパが設けられているのが一般的である（特許文献２参照）。
具体例としては、ダンパは円形のリング状に形成されており、ダンパの内周縁がボイルコイルボビン（又は筒状部）に対しその周囲を囲むように連結され、外周縁がフレームに連結されている。
この構造により、振動板は、ダンパによって異常振動の発生が抑制されつつフレームに保持されている。
【先行技術文献】
【特許文献】
【０００４】
【特許文献１】特開平９−３７３８７号公報
【特許文献２】特開平８−７９８７６号公報
【発明の概要】
【発明が解決しようとする課題】
【０００５】
ところで、近年、スピーカシステムに対して省スペース化の要望が強くなり、意匠的にスピーカシステムのエンクロージャ形状を細長化した商品が多く企画されている。
そして、この細長化されたスピーカシステムに搭載するスピーカユニット及びパッシブラジエータは、幅が狭いバッフル板において広い振動板面積が得られるように細長形状の振動板を備えたものが用いられる。
細長形状の振動板に環状のボイスコイルボビンが結合され、それを囲うようにリング状のダンパを連結させる場合、ダンパの外径は、少なくともフレームの短手長以内に設定されてなければならない。
従って、振動板の細長形状化により、長手方向の長さが拡大して見た目には大振幅（大音量）での再生音が期待されるものの、ダンパの軸方向変位はその大振幅に追従できる程には確保されない。
すなわち、振動板に大きな振幅の音声信号を付与しても良好な大音量再生音を得ることが難しいものとなっていた。
【０００６】
これは、リング状のダンパが、駆動軸方向に変位可能なようにコルゲーション構造を有していても、ダンパの中心軸線に直交する方向の最小外形寸法が、フレームの短手長以内に設定されているため、変位を大きくとれないことに起因している。
【０００７】
そこで、大音量再生音を得るために、ダンパを取り外して振動板の許容振幅範囲を広げることも検討される。
しかしながら、ダンパは、元来振動板の不要振動を抑えるために設けられているので、ダンパがないと不要振動が発生し易くなる。
この場合、細長形状の振動板では、長軸（長手軸線）回りの剛性が不足し外乱に対する感度が高くなり、長軸回りの振動モードが誘起され異常音が発生し易くなってしまうという問題が生じる。
この問題は、ダンパを設けたとしても、その剛性が十分でない場合には同様に生じる可能性がある。
【０００８】
そこで、本発明が解決しようとする課題は、振動板の大振幅での振動を可能としつつ不要振動の発生を抑えて異常音の発生を防止することにある。
【課題を解決するための手段】
【０００９】
上記の課題を解決するために、本願発明は次の構成を有する。
１）  外周部がエッジ(7)を介してフレーム(6)に接続され前記フレーム(6)に対して中心軸線(CL)方向に振動可能に支持された細長形状の振動板(5)の中心部に一体的に結合された質量付加部材(8)と、前記フレーム(6)又は前記フレーム(6)と一体化された部材と、を前記中心軸線(CL)を挟むように第１のダンパ部(9b)及び第２のダンパ部(9c)で連結してなるダンパ構造であって、
前記第１及び第２のダンパ部(9b,9c)はコルゲーション(9d,9e)を有すると共に前記質量付加部材(8)に固定された固定部(9a)に接続して一体化されており、
前記第１のダンパ部(9b)の一対の側縁(SE1,SE3)又はその一対の側縁それぞれの仮想延長線と前記質量付加部材(8)とが接続する二つの第１の接続部位(Rp1,Rp3)と、前記第２のダンパ部(9c)の一対の側縁(SE2,SE4)又はそれらの仮想延長線と前記質量付加部材(8)とが接続する二つの第２の接続部位(Rp2,Rp4)と、がそれぞれ異なる位置に存在すると共に、互いに対応する前記第１の接続部位(Rp1,Rp2)と前記第２の接続部位(Rp3,Rp4)とを繋ぐ一対の仮想線分(LN9a,LN9b)に対して、前記質量付加部材(8)の外形が前記仮想線分(LN9a,LN9b)と一致する位置にあるか又は前記外形の少なくとも一部が前記仮想線分(LN9a,LN9b)に対して前記中心軸線（CL）から遠い側の領域にあることを特徴とするダンパ構造である。
２）  中央部に質量付加部材(8)が一体化された細長形状の振動板(5)と、
前記振動板(5)の外周部に接続されたエッジ(7)と、
前記エッジ(7)を介して前記振動板(5)を中心軸線(CL)方向に振動可能に支持するフレーム(6)と、
前記質量付加部材(8)と、前記フレーム(6)又は前記フレーム(6)と一体化された部材と、を前記中心軸線(CL)を挟む位置で連結する第１のダンパ部(9b)及び第２のダンパ部(9c）と、
を備えたパッシブラジエータ(PR)であって、
前記第１及び第２のダンパ部(9b,9c)はコルゲーション(9d,9e)を有すると共に前記質量付加部材(8)に固定された固定部(9a)に接続して一体化されており、
前記第１のダンパ部(9b)の一対の側縁(SE1,SE3)又はその一対の側縁それぞれの仮想延長線と前記質量付加部材(8)とが接続する二つの第１の接続部位(Rp1,Rp3)と、前記第２のダンパ部(9c)の一対の側縁(SE2,SE4)又はそれらの仮想延長線と前記質量付加部材(8)とが接続する二つの第２の接続部位(Rp2,Rp4)と、がそれぞれ異なる位置に存在すると共に、互いに対応する前記第１の接続部位(Rp1,Rp2)と前記第２の接続部位(Rp3,Rp4)とを繋ぐ一対の仮想線分(LN9a,LN9b)に対して、前記質量付加部材(8)の外形が前記仮想線分(LN9a,LN9b)と一致する位置にあるか又は前記外形の少なくとも一部が前記仮想線分(LN9a,LN9b)に対して前記中心軸線（CL）から遠い側の領域にあることを特徴とするパッシブラジエータ(PR)である。
３）  ボイスコイル(VC)が巻回されたボイスコイルボビン(VCB)が中央部に一体化された細長形状の振動板(5)と、
前記振動板(5)の外周部に接続されたエッジ(7)と、
前記エッジ(7)を介して前記振動板(5)を中心軸線(CL)方向に振動可能に支持するフレーム(6)と、
前記ボイスコイルボビン(VCB)と、前記フレーム(6)又は前記フレーム(6)と一体化された部材と、を前記中心軸線(CL)を挟む位置で連結する第１のダンパ部(9b)及び第２のダンパ部(9c）と、
を備えたスピーカユニット(SP)であって、
前記第１及び第２のダンパ部(9b,9c)はコルゲーション(9d,9e)を有すると共に前記質量付加部材(8)に固定された固定部(9a)に接続して一体化されており、
前記第１のダンパ部(9b)の一対の側縁(SE1,SE3)又はその一対の側縁それぞれの仮想延長線と前記質量付加部材(8)とが接続する二つの第１接続部位(Rp1,Rp3)と、前記第２のダンパ部(9c)の一対の側縁(SE2,SE4)又はそれらの仮想延長線と前記質量付加部材(8)とが接続する二つの第２の接続部位(Rp2,Rp4)と、がそれぞれ独立して存在すると共に、互いに対応する前記第１の接続部位(Rp1,Rp2)と前記第２の接続部位(Rp3,Rp4)とを繋ぐ一対の仮想線分(LN9a,LN9b)に対して、前記質量付加部材(8)の外形が前記仮想線分(LN9a,LN9b)と一致する位置にあるか又は前記外形の少なくとも一部が前記仮想線分(LN9a,LN9b)に対して前記中心軸線（CL）から遠い側の領域にあることを特徴とするスピーカユニット(SP)である。
４）  外周部がエッジ(7)を介してフレーム(6)に接続され前記フレーム(6)に対して中心軸線(CL)方向に振動可能に支持された細長形状の振動板(5)の中心部に一体的に結合された質量付加部材(8)と、前記フレーム(6)又は前記フレーム(6)と一体化された部材と、を前記中心軸線(CL)を挟むように第１のダンパ(DPA)と第２のダンパ(DPB)とで連結してなるダンパ構造であって、
前記第１及び第２のダンパ(DPA,DPB)にはコルゲーションが形成されており、
前記第１のダンパ(DPA)の一対の側縁(SE5,SE7)と前記質量付加部材(VCB)とが接続する二つの第１の接続部位(Rp5,Rp7)と、前記第２のダンパ(DPB)の一対の側縁(SE6,SE8)と前記質量付加部材(8)とが接続する二つの第２の接続部位(Rp6,Rp8)と、がそれぞれ異なる位置に存在すると共に、互いに対応する前記第１の接続部位(Rp5,Rp7) と前記第２の接続部位(Rp6,Rp8)とを繋ぐ一対の仮想線分(LN7a,LN7b)に対して、前記質量付加部材(8)の外形が前記仮想線分(LN7a,LN7b)と一致する位置にあるか又は前記外形の少なくとも一部が前記仮想線分(LN7a,LN7b)に対して前記中心軸線(CL)から遠い側の領域にあることを特徴とするダンパ構造である。
５）  中央部に質量付加部材(8)が一体化された細長形状の振動板(5)と、
前記振動板(5)の外周部に接続されたエッジ(7)と、
前記エッジ(7)を介して前記振動板(5)を中心軸線(CL)方向に振動可能に支持するフレーム(6)と、
前記質量付加部材(8)と、前記フレーム(6)又は前記フレーム(6)と一体化された部材と、を前記中心軸線(CL)を挟む位置で連結する第１のダンパ(DPA)及び第２のダンパ(DPB)と、
を備えたパッシブラジエータ(PR)であって、
前記第１のダンパ及び第２のダンパ(DPA,DPB)にはコルゲーションが形成されており、
前記第１のダンパ(DPA)の一対の側縁(SE5,SE7)と前記質量付加部材(VCB)とが接続する二つの第１の接続部位(Rp5,Rp7)と、前記第２のダンパ(DPB)の一対の側縁(SE6,SE8)と前記質量付加部材(8)とが接続する二つの第２の接続部位(Rp6,Rp8)と、がそれぞれ異なる位置に存在すると共に、互いに対応する前記第１の接続部位(Rp5,Rp7)と前記第２の接続部位(Rp6,Rp8)とを繋ぐ一対の仮想線分(LN7a,LN7b)に対して、前記質量付加部材(8)の外形が前記仮想線分(LN7a,LN7b)と一致する位置にあるか又は前記外形の少なくとも一部が前記仮想線分(LN7a,LN7b)に対して前記中心軸線(CL)から遠い側の領域にあることを特徴とするパッシブラジエー(PR)である。
６）  ボイスコイル(VC)が巻回されたボイスコイルボビン(VCB)が中央部に一体化された細長形状の振動板(5)と、
前記振動板(5)の外周部に接続されたエッジ(7)と、
前記エッジ(7)を介して前記振動板(5)を中心軸線(CL)方向に振動可能に支持するフレーム(6)と、
前記ボイスコイルボビン(VCB)と、前記フレーム(6)又は前記フレーム(6)と一体化された部材と、を前記中心軸線(CL)を挟む位置で連結する第１のダンパ(DPA)及び第２のダンパ(DPB)と、
を備えたスピーカユニット(SP)であって、
前記第１のダンパ及び第２のダンパ(DPA,DPB)にはコルゲーションが形成されており、
前記第１のダンパ(DPA)の一対の側縁(SE5,SE7)と前記質量付加部材(VCB)とが接続する二つの第１の接続部位(Rp5,Rp7)と、前記第２のダンパ(DPB)の一対の側縁(SE6,SE8)と前記質量付加部材(8)とが接続する二つの第２の接続部位(Rp6,Rp8)と、がそれぞれ異なる位置に存在すると共に、互いに対応する前記第１の接続部位(Rp5,Rp7)と前記第２の接続部位(Rp6,Rp8)とを繋ぐ一対の仮想線分(LN7a,LN7b)に対して、前記質量付加部材(8)の外形が前記仮想線分(LN7a,LN7b)と一致する位置にあるか又は前記外形の少なくとも一部が前記仮想線分(LN7a,LN7b)に対して前記中心軸線(CL)から遠い側の領域にあることを特徴とするスピーカユニット(SP)である。
７）  細長形状のエンクロージャ(1)と、前記エンクロージャ(1)の前面バッフル板(2)に取り付けられたスピーカユニット（SP）と、前記エンクロージャ(1)の後面バッフル板(3)に取り付けられた２）又は５）に記載のパッシブラジエータ(PR)と、を備え、前記パッシブラジエータ(PR)は、前記細長形状の振動板(5)の長手方向と、前記エンクロージャ(1)の細長形状の長手方向とが一致するよう取り付けられていることを特徴とするスピーカシステム(SS)である。
【発明の効果】
【００１０】
本発明によれば、振動板の大振幅での振動を可能としつつ不要振動の発生を抑えて異常音の発生を防止することができる。
【図面の簡単な説明】
【００１１】
【図１】本発明のスピーカシステムの実施例を示す前面側から見た外観斜視図である。
【図２】本発明のスピーカシステムの実施例を示す後面側から見た外観斜視図である。
【図３】本発明のパッシブラジエータの実施例を説明するための断面図である。
【図４】本発明のパッシブラジエータの実施例を示す斜視図である。
【図５】本発明のダンパの実施例を説明するための斜視図である。
【図６】本発明のダンパの実施例を説明するための模式図である。
【図７】本発明のスピーカユニットの実施例を説明するための図である。
【図８】本発明のダンパ構造の実施例における変形例を説明するための図である。
【図９】本発明のダンパ構造の実施例を説明するための部分斜視図である。
【図１０】本発明のダンパの実施例における変形例を説明するための図である。
【発明を実施するための形態】
【００１２】
本発明の実施の形態を、好ましい実施例により図１〜図１０を用いて説明する。
【００１３】
本発明のスピーカシステムの実施例は、スピーカユニットＳＰとパッシブラジエータＰＲとを備えたスピーカシステムＳＳである。
図１は、スピーカシステムＳＳを前面右寄りやや上方からみた斜視図である。
図２は、スピーカシステムＳＳを後面左寄りやや上方からみた斜視図である。
【００１４】
図１、図２に示されるように、スピーカシステムＳＳは、各図の上下方向を長手方向とする細長形状のエンクロージャ１と、振動板４を有しエンクロージャ１の前面バッフル板２の開口部（図示せず）に取り付けられたスピーカユニットＳＰと、振動板５を有しエンクロージャ１の後面バッフル板３の開口部（図示せず）に取り付けられたパッシブラジエータＰＲと、他の開口部（図示せず）に取り付けられた端子部ＴＳと、を有している。
【００１５】
スピーカシステムＳＳは、エンクロージャ１の内部がほぼ密閉状態となっている。この密閉状態により、例えば、スピーカユニットＳＰの振動板４を押し込むと、パッシブラジエータＰＲの振動板５が押し出されるようになっている。
【００１６】
スピーカユニットＳＰの振動板４は、素材を例えば剛性の高い抄紙とし、直径を例えば直径１２０ｍｍとして形成されている。
端子部ＴＳの端子ＴＳ１，ＴＳ２とスピーカユニットＳＰとはエンクロージャ１の内部で電気的に接続されている。
スピーカシステムＳＳの使用状態で、端子ＴＳ１，ＴＳ２と外部の音声増幅器等との間にはケーブルが接続される。そして、その音声増幅器等から音声信号が端子ＴＳ１，ＴＳ２に入力されると、スピーカユニットＳＰから音声信号に基づいた音声が出力される。
パッシブラジエータＰＲの振動板５は、エンクロージャ１がほぼ密閉状態になっていることから、スピーカユニットＳＰの振動板４が振動すると、その振動周波数に応じた周波数-位相特性をもって振動する。
【００１７】
図３は、パッシブラジエータＰＲの、図２のＳ１−Ｓ１断面における模式的断面図である。
図４は、図３のパッシブラジエータＰＲの全体を矢印ＹＳ１方向からみた斜視図である。作図上、図４のパッシブラジエータＰＲは、他の図に記載されたものより長手方向が短く記載されているが、長手-短手の比率は限定されるものではない。
【００１８】
図３に示されるように、パッシブラジエータＰＲは、フレーム６とエッジ７と振動板５とを有して構成されている。
具体的には、フレーム６は、長丸状の開口部６ａ１（図３参照）を有するメインフレーム６ａと、その後面側においてダンパＤＰを支持する支持部６ｂと、を有して形成されている。また、フレーム６は、振動可能とされた部材が、許容された振幅範囲で干渉しないように形状が設定されている。
【００１９】
エッジ７は、断面の中央部が半円状に前方側（ダンパがある側の逆側）へ突出して全体が略トラック状に形成されており、外周縁が開口部６ａ１に連結されている。
振動板５は、長手方向の両端部が円弧状とされた細長形状に形成されており、外周縁部がエッジ７の内周縁部に連結されている。
振動板５の後面５ａ側には、振動板５を含む駆動系の質量を所定の質量にするためのウエイト８が取り付けられている。この実施例でウエイト８は概ね直方体とされている。
ウエイト８の幅（短手方向の長さ）は、振動板５の幅とほぼ同じに形成されている。
振動板５は、エッジ７を介して中心軸線ＣＬ方向に振動自由となるようフレーム６に支持されている。
ウエイト８と支持部６ｂとはダンパＤＰで連結されている。ウエイト８は質量付加部材である。
【００２０】
フレーム６は、例えば合成樹脂の射出成形により形成されている。合成樹脂材の例は、ＡＢＳ（アクリロニトリル・ブタジエン・スチレン）樹脂である。なお、フレーム６は、板金であってもよい。
エッジ７は、柔軟性を有する材料で形成されている。材料例は、ＮＢＲ（ニトリルゴム）である。
振動板５の材料例は、ＭＤＦ（Ｍｅｄｉｕｍ  Ｄｅｎｓｉｔｙ  Ｆｉｂｅｒｂｏａｒｄ：中密度繊維板）である。
ウエイト８の材料例は、金属、樹脂、木である。
フレーム６は、エッジ７及びダンパＤＰの中心が、フレーム６，振動板５，及びウエイト８それぞれの中心と一致するように各部材を支持でき、エッジ７とダンパＤＰとの位置関係が適切に保たれて、振動系の振動中心軸を音放射方向に正確に保つことができる構造となっている。
【００２１】
図５（ａ）は、ウエイト８及びダンパＤＰを、それぞれ振動板５と支持部６ｂから外した状態を示している。
ダンパＤＰは、短冊状に形成されており、材料例は布である。ダンパＤＰの材料の具体例は、「コーネックス」（登録商標）である。
【００２２】
ダンパＤＰの幅（短手方向の長さ）は、ウエイト８の幅とほぼ同じに形成されている。すなわち、ダンパＤＰの幅は振動板５の幅とほぼ同じに設定されている。
ダンパＤＰは、短冊状の中央部分が、ウエイト８に固定された固定部９ａとされ、短冊状の両端部側が、ウエイト８から外方にはみ出した腕部９ｂ，９ｃとされている。腕部９ｂ，９ｃは、ウエイト８と支持部６ｂとの間にそれぞれ設けられたダンパ部として機能する。
腕部９ｂ，９ｃには、弧状の凹凸である所謂コルゲーションが形成されたコルゲーション部９ｄ，９ｅが設けられている。
ここで言うコルゲーションは、同心状に形成されたものに限らない。単に径方向に交互に設けられた弧状または直線状の凹凸形状を意味する。
腕部９ｂ，９ｃにおける外方側の端部の所定範囲は、支持部６ｂに固定するための平坦な固定縁部９ｋとなっている。
ダンパＤＰとウエイト８とは接着剤により固定されている。
【００２３】
図５（ｂ）に示すように、ウエイト８は、そのダンパＤＰの長手方向に相当する両端面８ａ，８ａが弓面状に形成されていてもよい。両端面８ａ，８ａを弓面状に形成することで、接着強度を高めることができる。
この場合、固定部９ａにおいて、ウエイト８が固着される面９ａ１の形状は、ウエイト８の固着される面に対応した形状で形成されている。
なお、ウエイト８は、中が詰まっている中実構造でもよいし、中空構造でもよい。また、ウエイト８は、振動板と接触する面積が、ダンパＤＰと接触する面積よりも広くなるような形状にしてもよい。このようにすると、振動板との接触面積がより広くなり、剛性が高くなるので、音質的に有利である。
なお、接着強度に余裕がある場合は、図５（ｃ）に示すように、ウエイト８が固着される面９ａ１に段差９ａ２を設けてもよい。このようにすることで、接着工程において、全面塗布の必要がなくなったり、凹みに合わせて位置出し冶具を作って、押し付けて接着するようにすることができるため、生産が容易になる。
【００２４】
次に、図６（ａ）,（ｂ）を用いてダンパＤＰのコルゲーション部９ｄ，９ｅについて詳述する。
図６（ａ）は、図５（ａ）に示されるダンパＤＰを側方から見た模式的側面図であり、図６（ｂ）は、図６（ａ）を図の下方側からみた模式的平面図である。
【００２５】
腕部９ｂのウエイト８側の端部を内端部９ｂ１と称し、フレーム６ｂ側の固定縁部９ｋとの境界を外端部９ｂ２と称することとする。
すなわち、腕部９ｂにおける、内端部９ｂ１から外端部９ｂ２までの範囲が自由に変位可能な範囲となっている。
同様に、腕部９ｃのウエイト８側の端部を内端部９ｃ１と称し、支持部６ｂ側の固定縁部９ｋとの境界を外端部９ｃ２と称することとする。
すなわち、腕部９ｂにおける、内端部９ｂ１から外端部９ｂ２までの範囲が自由に変位可能な範囲となっている。また、腕部９ｃにおける、内端部９ｃ１から外端部９ｃ２までの範囲が自由に変位可能な範囲となっている。
【００２６】
理解容易のため、図６（ｂ）では、コルゲーション部９ｄ，９ｅを図６（ａ）における下方側に突出する各稜線９ｄ１〜９ｄ３，９ｅ１〜９ｅ３のみで示している。
【００２７】
実施例のダンパＤＰは、実質的なダンパとなる腕部９ｂ及び９ｃにおけるコルゲーション部９ｄとコルゲーション部９ｅとが短手軸線ＣＬｔに対して対称に形成されているので、代表としてコルゲーション部９ｄについて詳述する。
【００２８】
図６（ｂ）に示されるように、コルゲーション部９ｄは、内端部９ｂ１側から３つの稜線９ｄ１〜９ｄ３が得られるように３つのコルゲーションの凹凸が形成されている。
稜線９ｄ２，９ｄ３の曲率中心は、稜線９ｄ１の曲率中心Ｃｄ１と同じ位置にあり、その位置はダンパＤＰの中心軸線ＣＬとは異なる位置にある。
すなわち、コルゲーションは、各稜線９ｄ１〜９ｄ３が互いに同心の円弧となるよう形成されている。
実施例では、曲率中心Ｃｄ１は、中心軸線ＣＬに直交して交わる長手軸線ＣＬｎ上にあるように設定されている。
また、曲率中心Ｃｄ１は、中心軸線ＣＬを挟み各稜線９ｄ１〜９ｄ３とは反対側に距離Ｌｄ１だけ偏倚した位置にある。
【００２９】
また、コルゲーションは、各稜線９ｄ１〜９ｄ３が互いに同心の円弧とならないよう形成されていてもよい。
例えば、各稜線９ｄ１〜９ｄ３の曲率中心Ｃｄ１〜Ｃｄ３が、ダンパＤＰの中心軸線ＣＬとは異なる位置にあり、かつ、各曲率中心Ｃｄ１〜Ｃｄ３同士も異なる位置にあるものでもよい。
また、コルゲーション部９ｄは、中心軸線ＣＬに近い稜線ほど曲率半径が大きくなるように構成してもよい。
また、中心軸線ＣＬに近い稜線の曲率中心ほど、中心軸線ＣＬを挟んだ反対側において中心軸線ＣＬからより離れた位置にあるように構成してもよい。
【００３０】
また、、各稜線９ｄ１〜９ｄ３の曲率半径をそれぞれＲｄ１〜Ｒｄ３とし、各曲率中心Ｃｄ１〜Ｃｄ３と中心軸線ＣＬとの間の距離をそれぞれＬｄ１〜Ｌｄ３とした際に、
Ｌｄ１＋Ｒｄ１＝Ｌｄ２＋Ｒｄ２＝Ｌｄ３＋Ｒｄ３  ・・・  (式１）
を満たすようになっていてもよい。
この場合の曲率中心Ｃｄ１〜Ｃｄ３は、中心軸線ＣＬに対して各稜線９ｄ１〜９ｄ３コとは反対側に偏倚した位置にあるようにするのがよい。
各曲率中心Ｃｄ１〜Ｃｄ３は、各稜線９ｄ１〜９ｄ３が互いに干渉しない限り、必ずしも長手軸線ＣＬｎ上になくてよい。
【００３１】
図１０に示される例では、各曲率中心Ｃｄ１〜Ｃｄ３は、中心軸線ＣＬに直交して交わる長手軸線ＣＬｎ上にあるように設定されている。
さらに、各曲率中心Ｃｄ１〜Ｃｄ３の位置は、中心軸線ＣＬから遠い稜線の曲率中心ほど、中心軸線ＣＬに近い位置にある。
換言するならば、図１０に示されるコルゲーション部９ｄは、その稜線９ｄ１〜９ｄ３が、外側の稜線ほど中心軸線ＣＬからの偏倚量が小さくなるように偏心して形成されている。
【００３２】
実施例のダンパＤＰは、腕部９ｂ，９ｃにそれぞれコルゲーション部９ｄ，９ｅが形成された短冊状であって、中心軸線ＣＬを挟む位置関係にある独立した２箇所の固定縁部９ｋで支持部６ｂに連結されている。
すなわち、ダンパＤＰの外縁部は、支持部６ｂに対し、中心軸線ＣＬの回りを一周取り囲むようには固定されていない。
図６（ｂ）に示されるように、具体的には、ダンパＤＰは、中心軸線ＣＬに対し、長手軸線ＣＬｎを含む角度θの範囲で支持部６ｂに固定されている。角度θは、例えば３６°〜４０°で設定される。
また、ダンパＤＰとウエイト８とは、長手軸線ＣＬｎを含む角度θｗの範囲で結合しており、ウエイト８の外周にはダンパＤＰ（９ｂ，９ｃ）と連結していない範囲が存在するようになっている。
従って、ダンパＤＰにおいて中心軸線ＣＬ方向に移動できる部位の範囲（内端部９ｃ１から外端部９ｃ２までの範囲）を、フレーム６の短手方向の長さよりも十分長く取ることができる。
【００３３】
これにより、ダンパＤＰは、中心軸線ＣＬ方向に許容される移動距離が長くなり、振動板の大振幅変位に余裕をもって追従することができる。
さらに、振動板に不安定で不要な振動が発生することがなく、異常音が発生することもない。
【００３４】
図６（ｂ）及び図１０に示される例では、コルゲーション部９ｄ，９ｅの凹凸は、それらの曲率中心が中心軸線ＣＬを挟んでコルゲーション部９ｄ，９ｅからそれぞれ遠い側に位置している。
これにより、凹凸の曲率中心が中心軸線ＣＬと同じ位置にある場合と比べて、中心軸線ＣＬからの距離が同じ位置にある凹凸の曲率半径は大きくなっている。
凹凸の曲率半径が大きいほど、ダンパＤＰは、振動板のより大きな振幅の振動を許容する。
従って、振動板の長手軸線ＣＬｎ回りのローリングＲＬを良好に抑制する捻れ剛性を十分に確保しつつ、振動板の許容振幅をより大きくすることができている。
よって、振動板の不安定で不要な振動発生を効果的に抑制しつつ振動板のより大きな振幅での振動が可能になっている。
また、図６（ｂ）に示されるように、腕部９ｄの両側縁ＳＥ１，ＳＥ３の仮想延長線とウエイト８の長手軸線ＣＬｎ方向の端面との接続部位を示す接続点Ｒｐ１，Ｒｐ３と、腕部９ｅの両側縁ＳＥ２，ＳＥ４の仮想延長線とウエイト８の長手軸線ＣＬｎ方向の端面との接続部位を示す接続点Ｒｐ２，Ｒｐ４と、を想定したときに、接続点Ｒｐ１と接続点Ｒｐ２とを結ぶ線分ＬＮ９ａ及び接続点ＰＲ３と接続点ＰＲ４とを結ぶ線分ＬＮ９ｂの位置とウエイト８の各側面の位置とが一致するようになっている。
また、接続点Ｒｐ１と接続点Ｒｐ２とを結ぶ線分ＬＮ９ａに対し中心軸線ＣＬを含まない側の領域と、接続点ＰＲ３と接続点ＰＲ４とを結ぶ線分ＬＮ９ｂに対し中心軸線ＣＬを含まない側の領域と、に、質量付加部材であるウエイト８一部がはみ出すように存在していてもよい。
【００３５】
ダンパＤＰの各部寸法、材料、質量などは、通常のスピーカユニットやパッシブラジエータの設計と同様に、所望の性能が発揮され得るように適宜設定してよい。
【００３６】
図７（ａ）は、本発明のスピーカユニットの実施例としてのスピーカユニット５１を示す縦断面図であり、図７（ｂ）は、図７（ａ）におけるＡ７−Ａ７断面図である。
【００３７】
スピーカユニット５１における上述したパッシブラジエータＰＲとの相違点は、振動板５に対して、ウエイト８ではなくボイスコイルＶＣが巻回されたボイスコイルボビンＶＣＢが結合され、さらにマグネットＭｇ及びヨークＹｋを含む磁気回路ＫＫが搭載されている点である。
ボイスコイルボビンＶＣＢは、ボイスコイルＶＣと共に、振動板５を含む振動系が適切な質量となるよう付加される質量付加部材でもある。
ボイスコイルＶＣの質量付加でも振動系として適切な質量に至らない場合は、振動板の質量を増加させて振動系の質量調整を行う場合もある。
図示しない端子を介して外部から音声信号がボイスコイルＶＣに入力されると、その音声信号に基づいて振動板が振動して音声を出力するように構成されている。
また、ダンパＤＰは一体のものではなく、ボイスコイルボビンＶＣＢに対し、ボイスコイルボビンＶＣＢを挟み長手軸ＣＬｎに沿って延在するよう接着剤などで固定された一対のダンパＤＰＡ，ＤＰＢとされている。
【００３８】
スピーカユニット５１は、環状のボイスコイルボビンＶＣＢに対してダンパＤＰＡ，ＤＰＢがその周囲を一周取り囲むようには固定されていない。
図７（ｂ）に示すように、ダンパＤＰＡは、ボイスコイルボビンＶＣＢに対して、長手軸線ＣＬｎを含む角度θ２の範囲で連結固定され、ダンパＤＰＢは、ボイスコイルボビンＶＣＢに対して、長手軸線ＣＬｎを含む角度θ３の範囲で連結固定されている。
【００３９】
角度θ２，θ３は同じ角度としてもよく、異なる角度であってもよい。
少なくとも、ボイスコイルボビンＶＣＢに対してダンパＤＰＡ,ＤＰＢが連結されていない角度範囲θＢ１及びθＢ２が存在するように、すなわち、角度θＢ１及びθＢ２が０（ゼロ）°ではないように角度θ２，θ３が設定されているとよい。
【００４０】
また、図７（ｃ）に示すように、別体としたダンパＤＰＡとダンパＤＰＢとを、一対の円弧状の連結部ＲＢ１，ＲＢ２で連結して一体のダンパＤＰ７としてもよい。
ダンパ７は、連結部ＲＢ１，ＲＢ１の内側の縁部を含めて形成される円形の開口部ＤＰ７ａを有している。
開口部ＤＰ７ａの内径はボイスコイルボビンＶＣＢの外径とほぼ一致しており、開口部ＤＰ７ａにボイスコイルボビンＶＣＢを挿入し、接着剤等でダンパＤＰ７とボイスコイルボビンＶＣＢとを固着することができる。
図７（ｄ）は、ダンパ７とボイスコイルボビンＶＣＢとを固着して一体化した状態を示している。
【００４１】
ボイスコイルボビンＶＣＢに連結されるダンパは、上述した一対のダンパＤＰＡ，ＤＰＢ及び一体のダンパＤＰ７のいずれでもよい。
いずれの場合においても、それぞれ図７（ｂ），（ｄ）に示されるように、ダンパＤＰＡの両側縁ＳＥ５，ＳＥ６の仮想延長線とボイスコイルボビンＶＣＢの外周面との接続部位を示す接続点Ｒｐ５，Ｒｐ７と、ダンパＤＰＢの両側縁ＳＥ７，ＳＥ８の仮想延長線とボイスコイルボビンＶＣＢの外周面との接続部位を示す接続点Ｒｐ６，Ｒｐ８と、がそれぞれ一致しない点として想定でき、接続点Ｒｐ５と接続点Ｒｐ６とを結ぶ線分ＬＮ７ａに対して駆動軸線ＣＬを含まない側の領域と、接続点Ｒｐ７と接続点Ｒｐ８とを結ぶ線分ＬＮ７ｂに対して駆動軸線ＣＬを含まない側の領域と、に、質量付加部材であるボイスコイルボビンＶＣＢの一部がはみ出すように存在している。
また、ボイスコイルボビンＶＣＢが円筒状ではなく、対向平面を有する断面長丸筒状の場合は、平面図における対向平面の位置が線分ＬＮ７ａ，ＬＮ７ｂと一致するか、線分ＬＮ７ａ，ＬＮ７ｂからはみ出した位置にあればよい。
【００４２】
この構成により、ダンパＤＰＡ，ＤＰＢの駆動軸線ＣＬ方向の許容変位が拡大して良好に変位が行われ、ボイスコイルボビンＶＣＢの駆動軸線ＣＬ方向の移動が良好となり、振動板５が大振幅で振動する際に異常振動が極めて生じ難くなる。
【００４３】
本発明の実施例は、上述した構成及び手順に限定されるものではなく、本発明の要旨を逸脱しない範囲において変形例としてもよいのは言うまでもない。
コルゲーション部９ｄ，９ｅの凹凸形状は、種々の変形が可能であるので、代表的な腕部の変形例を変形例１〜変形例５として以下に説明する。
説明ではコルゲーションの稜線を３つとして説明するが、この数は限定されるものではない。
【００４４】
（変形例１）＜図８（ａ）参照＞
コルゲーションの稜線９ｈ１１〜９ｈ１３の各曲率半径Ｒｈ１１〜Ｒｈ１３が等しく形成されている腕部９ｈ１。
すなわち、Ｒｈ１３＝Ｒｈ１２＝Ｒｈ１１である。
【００４５】
（変形例２）＜図８（ｂ）参照＞
コルゲーションの稜線９ｈ２１〜９ｈ２３の曲率中心が、各稜線９ｈ２１〜９ｈ２３に対して中心軸線ＣＬとは反対側（図において各稜線に対し左方側）に設定され、中心軸線ＣＬに近い側の稜線ほど曲率半径が小さく設定されている腕部９ｈ２。
すなわち、Ｒｈ２３＞Ｒｈ２２＞Ｒｈ２１である。
【００４６】
（変形例３）＜図８（ｃ）参照＞
コルゲーションの稜線９ｈ３１〜９ｈ３３の高さＨｈ３１〜Ｈｈ３３が、中心軸線ＣＬ側の稜線ほど低く設定されている腕部９ｈ３。
すなわち、Ｈｈ３３＞Ｈｈ３２＞Ｈｈ３１である。
【００４７】
（変形例４）＜図８（ｄ）参照＞
内端部９ｂ１の幅Ｗｈ４１と外端部９ｂ２の幅Ｗｈ４２とが異なる腕部９ｈ４。
すなわち、Ｗｈ４１≠Ｗｈ４２である。
また、外端部９ｂ２の幅の方を広くすると、長手軸線ＣＬｎ回りの捻れ剛性及び図８（ｄ）の紙面に沿ったずれに対する剛性が高くなるので好ましい。
すなわち、Ｗｈ４２＞Ｗｈ４１である。
なお、一例として、Ｗｈ４１：Ｗｈ４２＝１：２である。また、腕部９ｈ４の２つの側縁ＳＥ５，ＳＥ６の内の一方と、その他方とがなす角度は、一例として、４５°である。
【００４８】
（変形例５）
図１及び図２に示されるスピーカシステムＳＳでは、スピーカユニットＳＰやパッシブラジエータＰＲを長手軸線ＣＬｎが天地方向となる姿勢で用いられる。
この場合、振動板４，５を含む駆動系の質量によっては、自重によって駆動系全体が中心軸線ＣＬに対して下方側に偏ってしまう虞がある。
これを防止するため、地側に位置する腕部のコルゲーションの剛性を高くし、天側に位置する腕部のコルゲーションの剛性を低くすることで、重量の影響を十分無視できる程度に小さくすることができる。
コルゲーションにおける凹凸の高さを低くする、あるいは稜線の曲率半径を小さくする、などの方法により、コルゲーション部の剛性を高くし堅くすることができる。また、その逆により剛性を低くし柔らかくすることができる。
【００４９】
上述した実施例及び変形例１〜５は、互いに自由に組み合わせることができる。
【００５０】
また、ダンパＤＰは、固定部９ａと腕部９ｂ，９ｃと一体となったものを説明したが、腕部９ｂと腕部９ｃとを有する独立した一対のダンパとしてもよい。
ただし、一体のダンパＤＰの方が製造において位置決め精度が向上するので好ましい。
ダンパＤＰは、支持部６ｂに連結する例を記載したが、ダンパＤＰが連結する相手は、支持部６ｂに限らずフレーム６と一体化した別の部材であってもよい。
中心軸線ＣＬは、振動板４，５の中心を通りその外周縁部を含む平面に直交する線である。スピーカユニットにおいては、駆動軸線と一致する。
図９に示されるように、フレーム６の支持部６ｂに、固定縁部９ｋに対応した形状の凹部６ｂｍを形成し、凹部６ｂｍに固定縁部９ｋを密着させるようにして固着してもよい。
凹部６ｂｍを設けることで、支持部６ｂとダンパＤＰとの固着強度が向上すると共にダンパＤＰの位置決めの精度が向上するので、長期信頼性が向上し品質のばらつきが抑制される。なお、凹部６ｂｍは、図９に示す位置に設けてもよいし、図９に示す位置の裏面（メインフレーム６ａに対向する面）に設けてもよい。
【００５１】
以上、詳述した実施例または変形例によれば、ダンパ構造において、振動板の大振幅での振動を可能としつつ不要振動の発生を抑えて異常音の発生が防止できる、という効果が得られる。
また、パッシブラジエータにおいて、細長形状の振動板とその不要振動の発生を抑えるダンパとを備え、振動板の大振幅での振動が可能でその際に異常音が発生し難い、という効果が得られる。
また、スピーカユニットにおいて、細長形状の振動板とその不要振動の発生を抑えるダンパとを備え、振動板の大振幅での振動が可能でその際に異常音が発生し難い、という効果が得られる。
また、スピーカシステムにおいて、細長形状の振動板とその不要振動の発生を抑えるダンパとを備えたスピーカユニット又はパッシブラジエータを具備し、振動板の大振幅での振動が可能でその際に異常音が発生し難い、という効果が得られる。
【符号の説明】
【００５２】
１  エンクロージャ、２  前面バッフル板、３  後面バッフル板
４  （スピーカユニットの）振動板
５  （パッシブラジエータの）振動板、５ａ  後面
６  フレーム
６ａ  メインフレーム、６ａ１  開口部、６ｂ  支持部、凹部  ６ｂｍ
７  エッジ
８  ウエイト（質量付加部材）
９ａ  固定部、９ａ１  面、９ａ２  段差
９ｂ，９ｃ  腕部（ダンパ部），９ｈ１〜９ｈ４  腕部
９ｂ１，９ｃ1  内端部、９ｂ２，９ｃ２  外端部
９ｄ，９ｅ  コルゲーション部
９ｄ１〜９ｄ３，９ｈ１１〜９ｈ１３，９ｈ２１〜９ｈ２３，
９ｈ３１〜９ｈ３３  稜線、９ｋ  固定縁部
Ｃｄ１〜Ｃｄ３  曲率中心
ＣＬ  中心軸線、ＣＬｎ  長手軸線、ＣＬｔ  短手軸線
ＤＰ，ＤＰＡ，ＤＰＢ  ダンパ
Ｈｈ３１〜Ｈｈ３３  高さ
ＫＫ  磁気回路、Ｍg  マグネット、Ｙｋ  ヨーク
Ｌｄ１〜Ｌｄ３  距離
ＰＲ  パッシブラジエータ
Ｒｄ１〜Ｒｄ３，Ｒｈ１１〜Ｒｈ１３  曲率半径
Ｒｐ１〜Ｒｐ８  接続点
ＳＥ１〜ＳＥ８  側縁
ＳＰ，５１  スピーカユニット
ＳＳ  スピーカシステム
ＴＳ  端子部
ＶＣ  ボイスコイル、ＶＣＢ  ボイスコイルボビン
【図１】
2013030872.tif 000003
【図２】
2013030872.tif 000004
【図３】
2013030872.tif 000005
【図４】
2013030872.tif 000006
【図５】
2013030872.tif 000007
【図６】
2013030872.tif 000008
【図７】
2013030872.tif 000009
【図８】
2013030872.tif 000010
【図９】
2013030872.tif 000011
【図１０】
2013030872.tif 000012